(57)【特許請求の範囲】
【請求項１】
グリル枠と内蓋からなる空気調和機の天井パネルにおいて、
前記内蓋は、一方を支点として開閉するように、
その左右の側面の一方の側面の支点側に長丸孔と、
他方の側面の支点側に突起部のないＬ型切欠き部と、
この突起部のないＬ型切欠き部の上部に保持具取付孔と、
側面の反支点側に突起部を有するＬ型切欠き部とを設け、
前記グリル枠の左右の側壁部には、
数箇所の支持具取付孔と、
この支持具取付孔の内蓋が開閉する支点側の片側に前記支持具取付孔を中心とする円周上に円弧状長孔を設け、
支持具をグリル枠側から前記各支持具取付孔に螺入し、かつ、前記長丸孔、前記突起部のないＬ型切欠き部、および前記突起部を有するＬ型切欠き部に貫入し、
保持具を前記保持具取付孔に内蓋側から螺入し、
保持具の先端は前記グリル枠の円弧状長孔に貫入する構成とした空気調和機の天井パネル。
【請求項２】
グリル枠と内蓋からなる空気調和機の天井パネルにおいて、
前記内蓋は、一方を支点として開閉するように、
その左右の側面の一方の側面の支点側に長丸孔と、
他方の側面の支点側に突起部のないＬ型切欠き部と、
この突起部のないＬ型切欠き部の上部に保持具取付孔と、
・    側面の反支点側に突起部を有するＬ型切欠き部とを設け、
前記グリル枠の左右の側壁部には、
数箇所の支持具取付孔を設け、
さらに、保持具取付孔と連通する保持片取付孔と突起部のないＬ型切欠き部に連通する長丸孔を設けた保持片を設け、
保持具を前記内蓋側から前記保持片取付孔と螺入して、前記保持具取付孔に貫入し、
支持具を前記グリル枠側から支持具取付孔に螺入し、支持具の先端は前記突起部のないＬ型切欠き部を連通し、前記長丸孔に貫入する構成とした空気調和機の天井パネル。
【請求項３】
グリル枠と内蓋からなる空気調和機の天井パネルにおいて、
前記内蓋は、一方を支点として開閉するように、
その左右の側面の一方の側面の支点側に長丸孔と、
他方の側面の支点側に突起部のないＬ型切欠き部と、
この突起部のないＬ型切欠き部の上部に保持具取付孔と、
側面の反支点側に突起部を有するＬ型切欠き部とを設け、
前記グリル枠の左右の側壁部には、
数箇所の支持具取付孔を設け、
さらに、前記内蓋の支点側となる長手方向の辺にコの字曲げ部を設け、
コの字曲げ部の突起部のないＬ型切欠き部を設けた側に保持片取付孔を設け、
この保持片取付孔に連通する保持片取付孔を有するコの字型の保持片を設け、前記保持片取付孔と保持片を保持具で螺入する構成とした空気調和機の天井パネル。
【発明の詳細な説明】
【０００１】
【発明の属する技術分野】
本発明は、ファンコイルユニットなどの空気調和機の天井パネルに関する。
【０００２】
【従来の技術】
近年ファンコイルユニットなどの空気調和機においては、低コスト、低価格で、しかも、高品質な商品が市場で求められており、特にメンテナンスの容易性については過去から課題が有り、その解決が市場で求められている。
【０００３】
従来、この種の空気調和機は図１０および図１１に示すような構成が一般的であった。
【０００４】
以下、その空気調和機の構成について図１０および図１１を参照しながら説明する。
【０００５】
図に示すように、空気調和機の天井パネル１０１はグリル枠１０２と内蓋１０３とスリーブ（図示せず）から構成されている。グリル枠１０２は側面に支点側支持具取付孔１０４ａと反支点側支持具取付孔１０４ｂを設け、内蓋１０３の支点側に長丸孔１０５を設け、反支点側に突起部１０８を有するＬ型切欠き部１０６を設け、内蓋１０３はグリル枠１０２の側面の支点側支持具取付孔１０４ａと反支点側支持具取付孔１０４ｂに外側から支点側支持具１０７ａと反支点側支持具１０７ｂを螺入して、内蓋１０３をグリル枠１０２に装着していた。
【０００６】
【発明が解決しようとする課題】
このような従来の空気調和機の天井パネルでは、内蓋１０３の支点側の孔は長丸孔１０５で、グリル枠１０２の外側より支持具１０７を螺着する構成のため、空気調和機を天井内に設置すると内蓋１０３の支持具１０７は天井内部に入ることとなり、容易に取付、取外しの作業ができず、内蓋部分も取外せないので空気調和機本体の清掃、モーター交換等の作業がやりにくいという課題があり、メンテナンス性の向上が要求されている。
【０００７】
本発明は、このような従来の課題を解決するものであり、低コストで内蓋を容易に取付、取外しでき、不用意な操作で内蓋が落下することのない空気調和機の天井パネルを提供することを目的とする。
【０００８】
【課題を解決するための手段】
上記課題を解決するための本発明の空気調和機の天井パネルの一つの手段は、内蓋の左右に突起部を有するＬ型切欠き部と、支点側の片側に長丸孔と他方に突起部のないＬ型切欠き部と、この突起部のないＬ型切欠き部の上部に保持具取付孔を設け、前記グリル枠の左右の側壁部に数箇所の支持具取付孔と、この支持具取付孔の支点側の片側に前記支持具取付孔を中心とする円周上に円弧状長孔を設け、支持具をグリル枠側から前記各支持具取付孔に螺入し、かつ、前記長丸孔、前記突起部のないＬ型切欠き部、および前記突起部を有するＬ型切欠き部に貫入し、保持具を前記保持具取付孔に内蓋側から螺入し、構成としたものである。
【０００９】
また、他の手段は、保持具取付孔と連通する保持片取付孔と突起部のないＬ型切欠き部に連通する長丸孔を設けた保持片を設け、保持具を前記内蓋側から前記保持片取付孔と螺入して、前記保持具取付孔に貫入し、かつ、支持具を前記グリル枠側から支持具取付孔に螺入し、支持具の先端は前記突起部のないＬ型切欠き部を連通し、前記長丸孔に貫入する構成としたものである。
【００１０】
また、他の手段は、内蓋の支点側となる長手方向の辺にコの字曲げ部を設け、コの字曲げ部の突起部のないＬ型切欠き部を設けた側に保持片取付孔を設け、この保持片取付孔に連通する保持片取付孔を有するコの字型の保持片を設け、前記保持片取付孔と保持片を保持具で螺入する構成としたものである。
【００１１】
そして本発明によれば上記手段により、低コストで内蓋を容易に取付、取外しでき、不用意な操作で内蓋が落下するのを防止できる空気調和機の天井パネルが得られる。
【００１２】
【発明の実施の形態】
本発明の請求項１に記載の発明は、グリル枠と内蓋からなる空気調和機の天井パネルにおいて、前記内蓋は、一方を支点として開閉するように、その左右の側面の一方の側面の支点側に長丸孔と、他方の側面の支点側に突起部のないＬ型切欠き部と、この突起部のないＬ型切欠き部の上部に保持具取付孔と、側面の反支点側に突起部を有するＬ型切欠き部とを設け、前記グリル枠の左右の側壁部には、数箇所の支持具取付孔と、この支持具取付孔の内蓋が開閉する支点側の片側に前記支持具取付孔を中心とする円周上に円弧状長孔を設け、支持具をグリル枠側から前記各支持具取付孔に螺入し、かつ、前記長丸孔、前記突起部のないＬ型切欠き部、および前記突起部を有するＬ型切欠き部に貫入し、保持具を前記保持具取付孔に内蓋側から螺入し、保持具の先端は前記グリル枠の円弧状長孔に貫入する構成としたものであり、内蓋を下方に開けることにより保持具をグリル枠内部から容易に取付、取外しができ、前記保持具の取外しにより、支持具を外すことなく内蓋の着脱が容易に素早く、低コストでできるという作用を有する。
【００１３】
また、請求項２に記載の発明は、グリル枠に支持具螺入時、支点側片側の支持具先端はパネルのＬ型切欠き部と保持片の長丸孔を貫入する構成としたものであり、簡単な構成で内蓋が不用意な操作でグリル枠から外れて落下することもなく、また内蓋を下方に開けることにより保持具をグリル枠内部から容易に自在に取付、取外しができ、保持具および保持片を取外すことで、支持具を外すことなく内蓋の着脱を容易に素早く、低コストでできるという作用を有する。
【００１４】
また、請求項３に記載の発明は、内蓋の長手方向コの字曲げ部の支点側端部に保持片取付孔を設け、この保持片取付孔に連通する保持片取付孔を有するコの字型の保持片を設け、前記保持片取付孔と保持片を保持具で螺入する構成としたものであり、内蓋を下方に開けることにより保持具が正面の位置にくるため、保持具を容易にグリル枠内部から取付、取外しでき、簡単な構成で内蓋が不用意な操作でグリル枠から外れて落下することもなく、低コストで内蓋を容易に取付、取外しできるという作用を有する。
【００１５】
以下、本発明の実施例について図面を参照しながら説明する。
【００１６】
【実施例】
（実施例１）
図１〜図５に示すように、空気調和機１は、空気調和機本体２と天井パネル３から構成され、天井パネル３はグリル枠４と内蓋５とスリーブ（図示せず）とから形成し、内蓋５はグリル枠４の側壁部の支持具取付孔７に螺入する支持具６で支持し、この内蓋５は一方を支点として開閉する様に構成し、グリル枠４の支点側の片側の支持具取付孔７を中心とする円周上に円弧状長孔８を設け、内蓋５の反支点側に突起部を有するＬ型切欠き部１０を設け、内蓋支点側の一方に長丸孔１１と、他方に突起部のないＬ型切欠き部１２と、このＬ型切欠き部１２の上部に保持具取付孔１３を設け、この保持具取付孔１３に保持具１４を内側から螺入する。
【００１７】
上記構成により、保持具１４を装着時、内蓋５は保持具取付孔１３に螺入した保持具１４がグリル枠４の支点側の支持具取付孔７の円周上に設けた円弧状長孔８を連通するため、Ｌ型切欠き部１２から外れることなく確実に内蓋５を支持できる。また、内蓋５をスライドさせ回動すれば内蓋５が開き、保持具１４を外すことができる。そして、保持具１４を外すことにより、内蓋５の支点側支持具貫入部１５は、突起部のないＬ型切欠き形状であるため、内蓋５を容易に素早く着脱でき、通常は外側にあり天井内に隠れている支持具６を外す必要はない。
【００１８】
（実施例２）
図６および図７に示すように、グリル枠４Ａの支点側の片側の支持具取付孔７を連通するよう設けた内蓋５の突起部のないＬ型切欠き部１２と、このＬ型切欠き部１２と連通するように設けた長丸孔１６を有する保持片１７を備え、この保持片１７の上部に保持片取付孔１８を設け、この保持片取付孔１８と保持具取付孔１３を連通し内側から保持具１４Ａで螺入する。また、グリル枠４Ａに支持具６螺入時、外側から支持具６の先端をグリル枠４Ａの支持具取付孔７を連通し、内蓋５のＬ型切欠き部１２と保持片１７の長丸孔１６、またはＬ型切欠き部１０、または長丸孔１１をそれぞれ貫入させている。
【００１９】
上記構成により、内蓋５は不用意な操作でグリル枠４Ａから外れて落下することもなく、また内蓋５を下方に開けることにより保持具１４Ａをグリル枠４Ａの内部から容易に自在に取付、取外しができ、保持具１４Ａおよび保持片１７を取外すことで、内蓋５の支点側のＬ型切欠き部１２は突起部がないため、この突起部のないＬ型切欠き部１２により、通常は外側にあり天井内に隠れている支持具６を外すことなく、内蓋５の着脱を容易に素早く行えることとなる。
【００２０】
（実施例３）
図８および図９に示すように、パネルの長手方向コの字曲げ部の支点側端部に保持片取付孔２１を設け、この保持片取付孔２１に連通する保持片取付孔１８Ａを有するコの字型の保持片１７Ａを設け、保持片取付孔１８Ａと保持片取付孔２１を保持具１４Ｂで螺入する。
【００２１】
上記構成により、内蓋５Ａは不用意な操作でグリル枠４Ａから外れて落下することもなく、また、内蓋５Ａを下方に開けることにより保持具１４Ｂが正面の位置にくるため、保持具１４Ｂを容易にグリル枠４Ａから取付、取外しでき、保持具１４Ｂおよび保持片１７Ａを取外すことで、内蓋の支点側のＬ型切欠き部１２は突起部がないため、この突起部のないＬ型切欠き部１２により内蓋５Ａの着脱を容易に素早く行えるとともに、通常は外側にあり天井内に隠れている支持具６を外す必要はない。
【００２２】
なお、保持片１７Ａに作業しやすいように指の入る大きさの丸孔や片側の側面に支持具６の有効ネジ山を挿入できる切欠き部を設けてもよく、要は実施例と同様の作用・効果が得られればこの形状に限らないということは言うまでもない。
【００２３】
【発明の効果】
以上の実施例から明らかなように、本発明によれば、回動する内蓋を下方に開けることにより保持具をグリル枠内部から取外すことができ、内蓋の支点側の片方にＬ型切欠き部を設けることでグリルの外側から螺入した支持具をかわして、内蓋を容易に自在に着脱できる。
【００２４】
また、内蓋を取外すことでより広い開口部が提供され、空気調和機本体内の清掃およびモーター交換時に効率的なメンテナンスができる。
【図面の簡単な説明】
【図１】本発明の実施例１の空気調和機のグリル枠と内蓋の構成を示す斜視図
【図２】同断面図
【図３】同内蓋回動時の断面図
【図４】同空気調和機本体と天井パネルを示す斜視図
【図５】同天井パネル回動時を示す斜視図
【図６】本発明の実施例２の同グリル枠と内蓋と保持片の構成を示す斜視図
【図７】同内蓋回動時の断面図
【図８】本発明の実施例３のグリル枠と内蓋と保持片の構成を示す斜視図
【図９】同天井パネルの回動時の断面図
【図１０】従来のグリル枠と内蓋の構成を示す斜視図
【図１１】同天井パネルの回動時の断面図
【符号の説明】
３      天井パネル
４      グリル枠
４Ａ    グリル枠
５      内蓋
５Ａ    内蓋
６      支持具
７      支持具取付孔
８      円弧状長孔
１０    Ｌ型切欠き部
１１    長丸孔
１２    Ｌ型切欠き部
１３    保持具取付孔
１４    保持具
１４Ａ  保持具
１４Ｂ  保持具
１５    支点側支持具貫入部
１６    長丸孔
１７    保持片
１７Ａ  保持片
１８    保持片取付孔
１８Ａ  保持片取付孔
２１    保持片取付孔
【図１】
0004138090.tif 000002
【図２】
0004138090.tif 000003
【図３】
0004138090.tif 000004
【図４】
0004138090.tif 000005
【図５】
0004138090.tif 000006
【図６】
0004138090.tif 000007
【図７】
0004138090.tif 000008
【図８】
0004138090.tif 000009
【図９】
0004138090.tif 000010
【図１０】
0004138090.tif 000011
【図１１】
0004138090.tif 000012